(57)【要約】【課題】ゴミに強く、手書きで加筆修正を可能とすることで、利便性が向上する書き込みシテムおよび記録装置を提供することを目的とする。【解決手段】書き込みシステムは、電界の作用により光学的特性が可逆的に変化するシート媒体１０１と、このシート媒体１０１に目視できる情報を書き込むための電界を生成する記録装置である書き込み装置１００とからなり、書き込み装置１００は、コロナイオン流をシート媒体１０１表面に選択的に照射することによって静電像を形成し、この静電像の電界によってシート媒体１０１とは非接触にて情報の書き込みを行うライン型ヘッド２を備えた書き込み装置本体１と、電界を発生するヘッド電極１１を有し、シート媒体１０１に接触して情報の書き込みを行うペン３とから構成され、ペン３は書き込み装置本体１に対して着脱可能であることを特徴としたものである。【選択図】図１
2005319691.tif 000002
【特許請求の範囲】
【請求項１】
電界の作用により光学的特性が可逆的に変化するシート媒体と、このシート媒体に目視できる情報を書き込むための電界を生成する書き込み装置とからなる書き込みシステムにおいて、前記書き込み装置は、コロナイオン流を前記シート媒体表面に選択的に照射することによって静電像を形成し、この静電像の電界によって前記シート媒体に非接触にて情報の書き込みを行うライン型ヘッドを備えた書き込み装置本体と、電界を発生するヘッド電極を有し、前記シート媒体に接触させて情報の書き込みを行うペンとから構成され、前記ペンは前記書き込み装置本体に対して着脱可能であることを特徴とする書き込みシステム。
【請求項２】
前記ペンの前記ヘッド電極は、絶縁体で覆われていることを特徴とする請求項１記載の書き込みシステム。
【請求項３】
前記ペンに、前記ヘッド電極から発生する電界の方向を変える手段を備えたことを特徴とする請求項１または２記載の書き込みシステム。
【請求項４】
前記ペンに、前記ヘッド電極から発生する電界の範囲を変える手段を備えたことを特徴とする請求項１から３のいずれかの項に記載の書き込みシステム。
【請求項５】
前記ペンに、前記ヘッド電極から発生する電界の強度を変える手段を備えたことを特徴とする請求項１から４のいずれかの項に記載の書き込みシステム。
【請求項６】
前記ペンの前記ヘッド電極または前記ヘッド電極を覆う前記絶縁体は、略球状であることを特徴とする請求項２から５のいずれかの項に記載の書き込みシステム。
【請求項７】
前記ペンの前記ヘッド電極を覆う前記絶縁体の厚みと、前記ペンの筐体を覆う絶縁体の厚みとは、前記ヘッド電極を覆う前記絶縁体の厚みの方が薄いことを特徴とする請求項２から６のいずれかの項に記載の書き込みシステム。
【請求項８】
前記ペンは、前記ヘッド電極以外は、シールドされていることを特徴とする請求項１から７のいずれかの項に記載の書き込みシステム。
【請求項９】
前記ペンは、前記書き込み装置本体に搭載されたバッテリから電源が供給されていることを特徴とする請求項１から８のいずれかの項に記載の書き込みシステム。
【請求項１０】
電界の作用により光学的特性が可逆的に変化するシート媒体に目視できる情報を書き込むための電界を生成する記録装置において、前記記録装置は、コロナイオン流を前記シート媒体表面に選択的に照射することによって静電像を形成し、この静電像の電界によって前記シート媒体に非接触にて情報の書き込みを行うライン型ヘッドと、電界を発生するヘッド電極を有し、前記シート媒体に接触させて情報の書き込みを行うペンとから構成されることを特徴とする記録装置。
【発明の詳細な説明】
【技術分野】
【０００１】
本発明は、電界の作用によって光学的特性が可逆的に変化するシート媒体と、このシート媒体に情報の書き込みを行う書き込み装置とで構成される書き込みシステムおよび記録装置に関する。
【背景技術】
【０００２】
従来、記録装置である書き込み装置としては、例えば、特許文献１に記載されているようなものがある。図１１は特許文献１に記載された、従来の書き込み装置の構成図を示している。図１１において、消去ドラム１０２，１０４の各外周にはそれぞれ複数の画素電極を備えた回路基板１０３、共通電極１０５が設置され、一方、書き込みドラム１０６，１０８の各外周にはそれぞれ複数の画素電極を備えた回路基板１０７、共通電極１０９が設置されている。
【０００３】
以上のように構成された書き込み装置において、電界の作用によって光学的特性が可逆的に変化するシート媒体１０１が図中矢印Ａの方向に搬送されると、まず消去ドラム１０４上の共通電極１０５を０ボルトに設定し、消去ドラム１０２上の回路基板１０３の各画素電極に負の電圧を与えることで共通電極１０５から画素電極に向かって電界が形成されることにより前記シート媒体１０１を消去する。続いて書き込みドラム１０８上の共通電極１０９を０ボルトに設定し、書き込みドラム１０６上の回路基板１０７の各画素電極に情報に応じた正の電圧を与えることにより正の電圧が与えられた画素電極から共通電極１０９に向かって電界が形成されることにより前記シート媒体１０１に所期の情報が表示される。
【特許文献１】特開２０００−１２７４７８号公報
【発明の開示】
【発明が解決しようとする課題】
【０００４】
前記従来の書き込み装置の構成では、情報をディスプレイに表示してみる場合に比べて情報が見易く、また情報を紙に印刷して見る場合に比べて、紙（資源）が無駄にならないという大きなメリットがあるが、しかしながら、書き込み装置で書き込んだシート媒体１０１の内容に対して手書きで加筆修正を行えないため、この点が紙を情報の表示媒体として使う場合に比べて大きなデメリットとなる。
【０００５】
また、シート媒体１０１に情報を書き込む際には、消去ドラム１０２，１０４及び書き込みドラム１０６，１０８がシート媒体１０１と接触するため、シート媒体１０１を再利用するにつれシート媒体１０１にゴミが付着するのは避けらず、そのゴミが消去ドラム１０２や書き込みドラム１０６の回路基板１０３，１０７の各画素電極に付着するようになり、かすれ等の不具合や各画素電極の故障の要因となる。
【０００６】
本発明は、前記従来課題を解決するもので、ゴミに強く、手書きで加筆修正を可能とすることで、利便性が向上する書き込みシステムおよび記録装置を提供することを目的とする。
【課題を解決するための手段】
【０００７】
前記従来の課題を解決するため、本発明の書き込みシステムは、コロナイオン流をシート媒体表面に選択的に照射することによって静電像を形成し、この静電像の電界によってシート媒体に情報の書き込みを行うライン型ヘッドを備えた書き込み装置本体と、この書き込み本体とは着脱可能であり、電界を発生するヘッド電極を有し、シート媒体とは接触
して情報の書き込みを行うペンとを備えた構成とする。
【発明の効果】
【０００８】
以上のように本発明の書き込みシステムによれば、パソコン等で作成した文章データやメモリカードに格納された情報を書き込む場合には、ライン型ヘッドを備えた書き込み装置本体で非接触にてシート媒体に書き込みを行うことができるとともに、上記書き込んだシート媒体の情報に対してペンで接触にて加筆修正を行うことができる。
【０００９】
またライン型ヘッドで書き込まれた情報やペンで加筆修正されたシート媒体を再利用することができ、その再利用の際には、シート媒体にゴミが付着していてもコロナイオン流を照射するライン型ヘッドは非接触であるためにライン型ヘッドはその影響を受けにくいので、印字かすれ等が発生せずに確実に情報の書き込みが行えるし、ライン型ヘッドが故障することもない。
【００１０】
さらに、電界を発生するヘッド電極を有したペンを接触させることにより情報の加筆修正が行えるので、ペン先端部と加筆修正箇所が一致し、視差が生じないため違和感なく快適に加筆修正が行える。また、ペンを使用しないときは書き込み装置本体に収納し、必要になったらこの書き込み装置本体から取り出すことできるので利便性が向上する。
【発明を実施するための最良の形態】
【００１１】
本願の第１の発明は、電界の作用により光学的特性が可逆的に変化するシート媒体と、このシート媒体に目視できる情報を書き込むための電界を生成する書き込み装置とからなる書き込みシステムにおいて、書き込み装置は、コロナイオン流をシート媒体表面に選択的に照射することによって静電像を形成し、この静電像の電界によってシート媒体に非接触にて情報の書き込みを行うライン型ヘッドを備えた書き込み装置本体と、電界を発生するヘッド電極を有し、シート媒体に接触させて情報の書き込みを行うペンとから構成され、ペンは書き込み装置本体に対して着脱可能であることを特徴としたものであり、ライン型ヘッドはシート媒体に非接触で情報を書き込むので、再利用につれてゴミが付着したシート媒体に対しても確実に電子データ等の情報の書き込みが行うことができる。またペンにより視差を生じることなく加筆修正を行うこともでき、さらに未使用時には書き込み装置本体の収納部に収納できるので利便性も向上できる。
【００１２】
本願の第２の発明は、ペンのヘッド電極は、絶縁体で覆われていることを特徴としたものであり、ペンのヘッド電極を人体に接触させても安全である。
【００１３】
本願の第３の発明は、ペンに、ヘッド電極から発生する電界の方向を変える手段を備えたことを特徴としたものであり、このヘッド電極から発生する電界の方向を変える手段により、設定に応じた方向の電界が作用することになり、シート媒体に所期の情報を書き込んだり、あるいは消去することができる。
【００１４】
本願の第４の発明は、ペンに、ヘッド電極から発生する電界の範囲を変える手段を備えたことを特徴としたものであり、ヘッド電極から発生する電界の範囲を変えることでシート媒体に太さの異なる情報を書き込むことができる。
【００１５】
本願の第５の発明は、ペンに、ヘッド電極から発生する電界の強度を変える手段を備えたことを特徴としたものであり、シート媒体に電界の強度に応じた濃度の異なる情報を書き込むことができる。
【００１６】
本願の第６の発明は、ペンのヘッド電極またはヘッド電極を覆う絶縁体は、略球状であることを特徴としたものであり、ペンの傾きに影響なくシート媒体に情報を書き込むこと
ができる。
【００１７】
本願の第７の発明は、ペンのヘッド電極を覆う絶縁体の厚みと、ペンの筐体を覆う絶縁体の厚みとは、ヘッド電極を覆う絶縁体の厚みの方が薄いことを特徴としたものであり、ペンを無造作にシート媒体上に放置しても、ヘッド電極以外の電圧が印加されている部分ではシート媒体に所期の情報を書き込むことができるほどの強度の電界が作用しないので、シート媒体に影響を与えることがない。
【００１８】
本願の第８の発明は、ペンは、ヘッド電極以外は、シールドされていることを特徴としたものであり、ペンを無造作にシート媒体上に放置しても、ヘッド電極以外の電圧が印加されている導体部分では電界がシールドされるのでシート媒体に意図しない書き込みが行われることがない。
【００１９】
本願の第９の発明は、ペンは、書き込み装置本体に搭載されたバッテリーから電源が供給されていることを特徴としたものであり、ペンにバッテリーを搭載してないので、ペンの筐体を細く、軽く構成できるので、快適に操作することができる。
【００２０】
本願の第１０の発明は、電界の作用により光学的特性が可逆的に変化するシート媒体に目視できる情報を書き込むための電界を生成する記録装置において、記録装置は、コロナイオン流をシート媒体表面に選択的に照射することによって静電像を形成し、この静電像の電界によって前記シート媒体に非接触にて情報の書き込みを行うライン型ヘッドと、電界を発生するヘッド電極を有し、シート媒体に接触させて情報の書き込みを行うペンとから構成されることを特徴としたものであり、ライン型ヘッドはシート媒体に非接触で情報を書き込むので、再利用につれてゴミが付着したシート媒体に対しても確実に電子データ等の情報の書き込みが行うことができる。またペンにより視差を生じることなく加筆修正を行うこともできる。
【００２１】
以下に、本発明の実施の形態について、図面を参照しながら説明する。
【００２２】
（実施の形態１）
図１は、本発明の実施の形態１における書き込みシステムの斜視図である。図１において、書き込みシステムは、電界の作用により光学的特性が可逆的に変化するシート媒体１０１と、このシート媒体１０１に目視できる情報を書き込むための電界を生成する記録装置である書き込み装置１００とから構成される。
【００２３】
書き込み装置１００は、書き込み装置本体１と、ヘッド電極１１を有したペン３から構成される。書き込み装置本体１は、コロナイオン流をシート媒体１０１表面に選択的に照射するライン型ヘッド２と、基準電極８とを備え、ペン３を着脱する収納部４が設けられている。
【００２４】
以上のように構成された書き込みシステムの書き込み動作について図２及び図３を用いて説明する。図２は本発明の実施の形態１における書き込み装置本体のライン型ヘッド２の断面図であり、図３は本発明の実施の形態１におけるペンの構成図である。
【００２５】
図２に示すように、５はコロナイオンを発生するイオン源であり、コロナワイヤ６に高電圧を印加（図示せず）することでコロナイオンを発生させる。
【００２６】
７ａ、７ｂは制御電極で、コロナワイヤ６から発生したコロナイオンを制御する上部電極および下部電極である。制御電極の上部電極７ａと下部電極７ｂとは、所定間隔で配置され、中央に設けられた孔をコロナイオンが通過できるように形成され、これらの制御電
極が複数並べられることによってライン型ヘッドを構成する。
【００２７】
９は制御電源、１０はバイアス電源である。
【００２８】
上部電極７ａが−、下部電極７ｂが＋になるように制御電源９を設定する（図中Ｌ側にスイッチを接続する）と電界方向が下から上になるのでコロナイオン（この場合では−）が上部電極７ａおよび下部電極７ｂの中央に設けられた孔を通過する。
【００２９】
上部電極７ａが＋、下部電極７ｂが−になるように制御電源９を設定する（図中Ｒ側にスイッチを接続する）と電界方向が上から下になるのでコロナイオン（この場合では−）が上部電極７ａおよび下部電極７ｂの中央に設けられた孔を通過することができない。
【００３０】
この原理にてシート媒体１０１上には、情報に応じたコロナイオンによる静電像が形成されるため、これら静電像と基準電極８とに図中Ｂのような電界が作用することになり、シート媒体１０１に所期の情報を書き込むことができる。シート媒体１０１に書き込んだ情報を消去する場合は、コロナワイヤ６に書き込み動作とは逆の極性の電位を加え、コロナイオンを通過可能な状態にして走査すれば、書き込み時とは逆の極性のコロナイオンがシート媒体１０１上にのり、情報は消去される。
【００３１】
続いて図３において、上記ライン型ヘッド２により書き込んだシート媒体１０１上の情報を手書きにより加筆修正を行う場合の動作について説明する。図３においてペン３は、ヘッド電極１１、ヘッド電極１１を覆う絶縁体１２、ヘッド電極に電界を与えるためのバッテリー手段１３から構成される。
【００３２】
以上のように構成されたペン３を書き込み装置本体１の収納部４から取り出し、シート媒体１０１上に接触させるとヘッド電極１１に電圧が印加され（接触によりスイッチが入る仕組みは省略）、これにより基準電極１４とに図中Ｃのような電界が作用することになり、シート媒体１０１に所期の情報を書き込むことができる。
【００３３】
かかる構成によればコロナイオン流をシート媒体１０１表面に選択的に照射するライン型ヘッド２を備えた書き込み装置本体１と、この書き込み装置本体１とは着脱可能であり、電界を発生することができるヘッド電極１１を有したペン３とを備えた構成とすることにより、非接触にてシート媒体１０１に電子データ等の情報の書き込みを行うことができるとともに、上記書き込んだシート媒体１０１の情報に対してペンを用いて接触させて加筆修正を行うことができるようになり、これにより再利用につれてゴミが付着したシート媒体１０１に対しても確実に電子データ等の情報の書き込みが行うことができ、また視差を生じることなく加筆修正を行うこともでき、さらに未使用時には書き込み装置本体１の収納部４に収納できるので利便性も向上できる。
【００３４】
また、ペン３のヘッド電極１１は、絶縁体１２により覆われているため、ペン３のヘッド電極１１を人体に接触させても安全である。
【００３５】
ここで説明したシート媒体１０１としては、マイクロカプセルを用いた電気泳動シート、ゼロックス社よりジャイリコン（商標）という名称をつけて報告されているツイストボール方式のシート、さらにメモリ性を有する液晶等、各種電界駆動方式のメモリ性を有するシート媒体を使用することができる。
【００３６】
なお、本実施の形態において、非接触にて情報の書き込みを行うライン型ヘッドとしてコロナイオンを一様に発生させ、制御電極で選択する方式を示したが、高電圧を印加した金属電極を加熱することでイオンを選択的に発生する方式としてもよい。
【００３７】
さらに、本実施の形態において、シート媒体１０１に書き込んだ情報を消去する場合は、コロナワイヤ６に書き込み動作とは逆の極性の電位を加え、コロナイオンを通過可能な状態にして走査する方式を示したが、書き込みのためのライン型ヘッドと消去のためのライン型ヘッドをそれぞれ備えることで、消去、書き込みを一連の動作で行う方式としてもよい。その際、消去のためのライン型ヘッドは、単なる電極であっても、コロナイオンを発生する方式でもよい。
【００３８】
（実施の形態２）
図４は、本発明の実施の形態２における書き込み装置本体に着脱可能なペン３の構成を示す構成図である。図４において、図３と同じ構成要素については同じ符号を用い、説明を省略する。
【００３９】
本実施の形態では、ヘッド電極１１に印加する電圧の極性を変更することで、ヘッド電極１１から発生する電界の方向を変える極性選択手段１５を設けている。
【００４０】
以上のように構成されたペン３では、極性選択手段１５の設定によりヘッド電極１１にかかる電圧の極性を変えることができるので、シート媒体１０１上に接触させるとヘッド電極１１にいずれかの極性の電圧が印加され、これにより基準電極１４とに図中Ｄに示すように極性選択手段１５の設定に応じた方向の電界が作用することになり、シート媒体１０１に所期の情報を書き込んだり、あるいは消去することができる。
【００４１】
かかる構成によれば、ペン３に極性選択手段１５を設けることにより、ペン３を用いてシート媒体１０１に対し加筆と消去が行えるので、利便性が向上する。
【００４２】
（実施の形態３）
図５は、本発明の実施の形態３における書き込み装置本体に着脱可能なペン３の構成を示す構成図である。図５において、図３と同じ構成要素については同じ符号を用い、説明を省略する。
【００４３】
本実施の形態では、へッド電極から発生する電界の範囲を変える面積の小さなヘッド電極１１ａと面積の大きなヘッド電極１１ｂとを設けている。
【００４４】
以上のように構成されたペン３では、（Ａ）に示すように面積の小さなヘッド電極１１ａがペン先にある場合にシート媒体１０１上に接触すると、基準電極１４に図中Ｅに示すような範囲の電界が作用することになり、シート媒体１０１に所期の太さの情報を書き込むことができる。（Ｂ）に示すように面積の大きなヘッド電極１１ｂがペン先にある場合にシート媒体１０１上に接触すると、基準電極１４とに図中Ｆに示すような範囲の電界が作用することになり、シート媒体１０１に（Ａ）に比べて太い情報を書き込むことができる。
【００４５】
なお、本実施の形態においては、電界の範囲を変えるために大きさの異なるヘッド電極１１ａ、１１ｂを設けたが、ヘッド電極を１つにし、このヘッド電極をシールドする範囲を制御することで基準電極との電界の範囲を変える構成としてもよい。
【００４６】
かかる構成によれば、ペン３を用いてシート媒体１０１に対し加筆の幅を変えることができるので、利便性が向上する。
【００４７】
（実施の形態４）
図６は、本発明の実施の形態４における書き込み装置本体に着脱可能なペン３の構成を
示す構成図である。図６において、図３と同じ構成要素については同じ符号を用い、説明を省略する。
【００４８】
本実施の形態では、ヘッド電極１１に印加する電圧値を変更する電圧値変更手段１６を設けている。
【００４９】
以上のように構成されたペン３では、電圧値変更手段１６の設定によりヘッド電極１１にかかる電圧値を変えることができるので、シート媒体１０１上に接触させるとヘッド電極１１に所期の電圧が印加され、これにより基準電極１４との間に図中Ｇに示すように電圧値変更手段１６の設定に応じた強度の電界が作用することになり、シート媒体１０１に所期の濃度の情報を書き込むことができる。
【００５０】
かかる構成によれば、ペン３に電圧値変更手段１６を設けることにより、ペン３を用いてシート媒体１０１に対し加筆の濃度を変えることができるので、利便性が向上する。
【００５１】
（実施の形態５）
図７は、本発明の実施の形態５における書き込み装置本体に着脱可能なペン３の構成を示す構成図である。図７において、図３と同じ構成要素については同じ符号を用い、説明を省略する。
【００５２】
本実施の形態では、ヘッド電極１７の形状を球状にしている。
【００５３】
以上のように構成されたペン３では、（Ａ）に示すようにシート媒体１０１に対してペン３を略直角に接触させても、または（Ｂ）に示すようにシート媒体１０１に対してペン３を傾けて接触させても、ペン３と基準電極１４との間には図中Ｇ、Ｈに示すようにほぼ同じ強さの電界が作用することになり、ペン３の傾きに影響なくシート媒体１０１に情報を書き込むことができる。
【００５４】
かかる構成によれば、加筆する際にペン３の傾きを適宜に変えても所期の太さや濃さを保たれるので利便性が向上する。
【００５５】
（実施の形態６）
図８は、本発明の実施の形態６における書き込み装置本体に着脱可能なペン３の構成を示す構成図である。図８において、図３及び図７と同じ構成要素については同じ符号を用い、説明を省略する。
【００５６】
本実施の形態では、ヘッド電極１７の形状を球状にしている。またこのヘッド電極１７を覆うように絶縁体１２が球状に形成されている。電圧が印加されるヘッド電極１７を覆う絶縁体１２の厚みをＬ３とし、ペン３の筐体なる絶縁体１２の厚みをそれぞれＬ１およびＬ２とすると、ヘッド電極１７を覆う絶縁体１２の厚みＬ３の方が、Ｌ１およびＬ２より薄くしている。
【００５７】
以上のように構成されたペン３を書き込み装置本体１から取り出し、シート媒体１０１上に接触させるとヘッド電極１７に電圧が印加されシート媒体１０１に所期の情報を書き込むことができるとともに、ペン３を無造作にシート媒体１０１上に放置しても、ヘッド電極１７以外の電圧が印加されている部分ではシート媒体１０１に所期の情報を書き込むことができるほどの強度の電界が作用しないのでシート媒体１０１に影響を与えることがない。
【００５８】
かかる構成によれば、ヘッド電極１７に電圧を印加したペン３を無造作にシート媒体１
０１上に放置してもシート媒体１０１の情報は変化しないので、利便性が向上する。
【００５９】
（実施の形態７）
図９は、本発明の実施の形態７における書き込み装置本体に着脱可能なペン３の構成を示す構成図である。図９において、図３及び図７と同じ構成要素については同じ符号を用い、説明を省略する。
【００６０】
本実施の形態では、ヘッド電極１７以外の電圧が印加される導体部分を取り囲むようにシールド手段１８を設けている。
【００６１】
以上のように構成されたペン３を書き込み装置本体１から取り出し、シート媒体１０１上に接触させるとヘッド電極１７に電圧が印加されシート媒体１０１に所期の情報を書き込むことができるとともに、ペン３を無造作にシート媒体１０１上に放置しても、ヘッド電極１７以外の電圧が印加されている導体部分では電界がシールドされるのでシート媒体１０１に意図しない書き込みが行われることがない。
【００６２】
かかる構成によれば、ヘッド電極１７に電圧を印加した無造作にシート媒体１０１上に放置してもシート媒体１０１の情報は変化しないので、利便性が向上する。
【００６３】
（実施の形態８）
図１０は、本発明の実施の形態８における書き込み装置本体とそれに着脱可能なペン３の構成を示す構成図である。図１０において、図１と同じ構成要素については同じ符号を用い、説明を省略する。
【００６４】
本実施の形態では、ペン３に印加する電圧を供給するバッテリー手段１９を書き込み装置１本体に設けている。
【００６５】
以上のように構成されたペン３を書き込み装置本体１から取り出し、シート媒体１０１上に接触させるとヘッド電極１１に電圧が印加されシート媒体１０１に所期の情報を書き込むことができるとともに、ペン３にバッテリー手段を搭載してないので、ペン３の筐体を細く、軽く構成できるので、快適に操作することができる。
【００６６】
かかる構成によれば、ペン３を操作しやすいので、利便性が向上する。
【産業上の利用可能性】
【００６７】
本発明にかかる書き込み装置は、パソコン等で作成した文章データを非接触にてシート媒体に書き込みを行うので確実な書き込みが行え、さらにペンを用いて非接触にて加筆修正を行うことができるため視差が発生せずに快適に操作が行うことができるので、電界の作用によって光学的特性が可逆的に変化するシート媒体に情報を書き込む書き込みシステムおよび記録装置として有用である。
【図面の簡単な説明】
【００６８】
【図１】本発明の実施の形態１における書き込みシステムの斜視図
【図２】本発明の実施の形態１における書き込み装置本体のライン型ヘッド断面図
【図３】本発明の実施の形態１におけるペンの構成図
【図４】本発明の実施の形態２における書き込み装置本体に着脱可能なペンの構成を示す構成図
【図５】本発明の実施の形態３における書き込み装置本体に着脱可能なペンの構成を示す構成図
【図６】本発明の実施の形態４における書き込み装置本体に着脱可能なペンの構成を示す構成図
【図７】本発明の実施の形態５における書き込み装置本体に着脱可能なペンの構成を示す構成図
【図８】本発明の実施の形態６における書き込み装置本体に着脱可能なペンの構成を示す構成図
【図９】本発明の実施の形態７における書き込み装置本体に着脱可能なペンの構成を示す構成図
【図１０】本発明の実施の形態８における書き込み装置本体とそれに着脱可能なペンの構成を示す構成図
【図１１】従来の書き込み装置の構成図
【符号の説明】
【００６９】
１    書き込み装置本体
２    ライン型ヘッド
３    ペン
４    収納部
５    イオン源
６    コロナワイヤ
７ａ    上部電極
７ｂ    下部電極
８    基準電極
９    制御電源
１０    バイアス電源
１１    ヘッド電極
１２    絶縁体
１３    バッテリー手段
１４    基準電極
１５    極性選択手段
１６    電圧値変更手段
１７    ヘッド電極
１８    シールド手段
１９    バッテリー手段
１００    書き込み装置
１０１    シート媒体
【図１】
2005319691.tif 000003
【図２】
2005319691.tif 000004
【図３】
2005319691.tif 000005
【図４】
2005319691.tif 000006
【図５】
2005319691.tif 000007
【図６】
2005319691.tif 000008
【図７】
2005319691.tif 000009
【図８】
2005319691.tif 000010
【図９】
2005319691.tif 000011
【図１０】
2005319691.tif 000012
【図１１】
2005319691.tif 000013